(57)【要約】【課題】対応情報がメモリに記憶されていない媒体の最適な印刷方式を設定することである。【解決手段】媒体の種類と印刷方式との対応関係を示す対応情報を記憶するメモリと、前記メモリを参照し、印刷される媒体の種類に対応した前記印刷方式を選択し、選択された前記印刷方式に基づいて印刷データを生成する印刷データ生成部と、を備え、前記対応情報が前記メモリに記憶されていない媒体の前記印刷方式を設定するための複数のパターンを、前記媒体に印刷する印刷制御装置であって、前記媒体に印刷された前記複数のパターンに関する２種類以上の情報を、ユーザーに入力させるための入力画面を表示し、前記入力画面に入力された前記２種類以上の情報に基づいて、前記印刷方式を設定することを特徴とする。【選択図】      図１３
2005224995.tif 000002
【特許請求の範囲】
【請求項１】
媒体の種類と印刷方式との対応関係を示す対応情報を記憶するメモリと、
前記メモリを参照し、印刷される媒体の種類に対応した前記印刷方式を選択し、選択された前記印刷方式に基づいて印刷データを生成する印刷データ生成部と、を備え、
前記対応情報が前記メモリに記憶されていない媒体の前記印刷方式を設定するための複数のパターンを、前記媒体に印刷する印刷制御装置であって、
前記媒体に印刷された前記複数のパターンに関する２種類以上の情報を、ユーザーに入力させるための入力画面を表示し、
前記入力画面に入力された前記２種類以上の情報に基づいて、前記印刷方式を設定する
ことを特徴とする印刷制御装置。
【請求項２】
請求項１に記載の印刷制御装置において、
前記２種類以上の情報の１つは、前記媒体に印刷された前記複数のパターンのインクの滲みに関する情報である
ことを特徴とする印刷制御装置。
【請求項３】
請求項１に記載の印刷制御装置において、
前記２種類以上の情報の１つは、前記複数のパターン上の指紋の有無に関する情報である
ことを特徴とする印刷制御装置。
【請求項４】
請求項１に記載の印刷制御装置において、
前記２種類以上の情報の１つは、前記媒体に印刷された前記複数のパターン上を、ローラーが転がったときの、前記複数のパターン上のローラー痕の有無に関する情報である
ことを特徴とする印刷制御装置。
【請求項５】
請求項１に記載の印刷制御装置において、
前記印刷方式に応じて、前記媒体に印刷するときに用いられるインク量が異なる
ことを特徴とする印刷制御装置。
【請求項６】
請求項１に記載の印刷制御装置において、
前記複数のパターンを、それぞれ印刷するときに用いられるインク量が異なる
ことを特徴とする印刷制御装置。
【請求項７】
請求項１に記載の印刷制御装置において、
前記メモリは、前記複数のパターンと前記印刷方式との対応関係を示す情報をさらに記憶し、
前記入力画面に入力された前記２種類以上の情報に基づいて前記複数のパターンから１つのパターンを選択し、前記メモリを参照して、選択された前記１つのパターンに対応する前記印刷方式を設定する
ことを特徴とする印刷制御装置。
【請求項８】
請求項６、又は、請求項７に記載の印刷制御装置において、
前記入力画面に入力された前記２種類以上の情報は、それぞれ前記複数のパターンのうち１つのパターンに対応しており、
各情報に対応するパターンのうち、印刷するときに用いられるインク量が最も多いパターンを選択する
ことを特徴とする印刷制御装置。
【請求項９】
請求項１乃至請求項８のいずれかに記載の印刷制御装置において、
前記媒体は、記憶媒体である
ことを特徴とする印刷制御装置。
【請求項１０】
請求項９に記載の印刷制御装置において、
前記記憶媒体は、ＣＤ−ＲＯＭ、又は、ＤＶＤである
ことを特徴とする印刷制御装置。
【請求項１１】
請求項１０に記載の印刷制御装置において、
前記複数のパターンは、前記ＣＤ−ＲＯＭ、又は、ＤＶＤの印刷面に環状に印刷される
ことを特徴とする印刷制御装置。
【請求項１２】
媒体の種類と印刷方式との対応関係を示す対応情報を記憶するメモリと、
前記メモリを参照し、印刷される媒体の種類に対応した前記印刷方式を選択し、選択された前記印刷方式に基づいて印刷データを生成する印刷データ生成部と、を備え、
前記対応情報が前記メモリに記憶されていない媒体の前記印刷方式を設定するための複数のパターンを、前記媒体に印刷する印刷制御装置であって、
前記媒体に印刷された前記複数のパターンに関する２種類以上の情報を、ユーザーに入力させるための入力画面を表示し、
前記入力画面に入力された前記２種類以上の情報に基づいて、前記印刷方式を設定し、
前記２種類以上の情報の１つは、前記媒体に印刷された前記複数のパターンのインクの滲みに関する情報であり、
前記２種類以上の情報の１つは、前記複数のパターン上の指紋の有無に関する情報であり、
前記２種類以上の情報の１つは、前記媒体に印刷された前記複数のパターン上を、ローラーが転がったときの、前記複数のパターン上のローラー痕の有無に関する情報であり、
前記印刷方式に応じて、前記媒体に印刷するときに用いられるインク量が異なり、
前記複数のパターンを、それぞれ印刷するときに用いられるインク量が異なり、
前記メモリは、前記複数のパターンと前記印刷方式との対応関係を示す情報をさらに記憶し、
前記入力画面に入力された前記２種類以上の情報に基づいて前記複数のパターンから１つのパターンを選択し、前記メモリを参照して、選択された前記１つのパターンに対応する前記印刷方式を設定し、
前記入力画面に入力された前記２種類以上の情報は、それぞれ前記複数のパターンのうち１つのパターンに対応しており、
各情報に対応するパターンのうち、印刷するときに用いられるインク量が最も多いパターンを選択し、
前記媒体は、記憶媒体であり、
前記記憶媒体は、ＣＤ−ＲＯＭ、又は、ＤＶＤであり、
前記複数のパターンは、前記ＣＤ−ＲＯＭ、又は、ＤＶＤの印刷面に環状に印刷される
ことを特徴とする印刷制御装置。
【請求項１３】
媒体の種類と印刷方式との対応関係を示す対応情報を記憶するメモリと、前記メモリを参照し、印刷される媒体の種類に対応した前記印刷方式を選択し、選択された前記印刷方式に基づいて印刷データを生成する印刷データ生成部と、を備え、前記対応情報が前記メモリに記憶されていない媒体の前記印刷方式を設定するための複数のパターンを、前記媒体に印刷する印刷制御装置、及び、
この印刷制御装置に接続可能な印刷装置であって、前記印刷データに基づいて前記媒体に印刷を実行する印刷装置、
を有する印刷制御システムにおいて、
前記媒体に印刷された前記複数のパターンに関する２種類以上の情報を、ユーザーに入力させるための入力画面を表示し、
前記入力画面に入力された前記２種類以上の情報に基づいて、前記印刷方式を設定する
ことを特徴とする印刷制御システム。
【請求項１４】
媒体の種類と印刷方式との対応関係を示す対応情報を参照するステップと、
前記対応情報に基づいて、印刷される媒体の種類に対応した前記印刷方式を選択するステップと、
選択された前記印刷方式に基づいて印刷データを生成するステップと、
前記対応情報が前記メモリに記憶されていない媒体の前記印刷方式を設定するための複数のパターンを、前記媒体に印刷するステップと、
を有する印刷制御方法において、
前記媒体に印刷された前記複数のパターンに関する２種類以上の情報を、ユーザーに入力させるための入力画面を表示するステップと、
前記入力画面に入力された前記２種類以上の情報に基づいて、前記印刷方式を設定するステップと、
をさらに有することを特徴とする印刷制御方法。
【請求項１５】
媒体の種類と印刷方式との対応関係を示す対応情報を記憶するメモリを参照し、印刷される媒体の種類に対応した前記印刷方式を選択し、選択された前記印刷方式に基づいて、印刷装置に印刷を実行させる印刷制御装置であって、
前記対応情報が前記メモリに記憶されていない媒体の前記印刷方式を設定するための複数のパターンを、前記媒体に印刷する印刷制御装置に、
前記媒体に印刷された前記複数のパターンに関する２種類以上の情報を、ユーザーに入力させるための入力画面を表示させる機能と、
前記入力画面に入力された前記２種類以上の情報に基づいて、前記印刷方式を設定させる機能と、
を実現させることを特徴とするプログラム。
【発明の詳細な説明】
【技術分野】
【０００１】
本発明は、印刷制御装置、印刷制御システム、印刷制御方法、及び、プログラムに関する。
【背景技術】
【０００２】
印刷制御装置として、例えば、媒体の種類と印刷方式との対応関係を示す対応情報を記憶するメモリと、前記メモリを参照し、印刷される媒体の種類に対応した前記印刷方式を選択し、選択された前記印刷方式に基づいて印刷データを生成する印刷データ生成部と、を備えている印刷制御装置がある。
【特許文献１】特開２００２−１０３５８２号公報
【発明の開示】
【発明が解決しようとする課題】
【０００３】
上記の印刷制御装置においては、対応情報がメモリに記憶されている媒体を印刷する場合には、印刷データ生成部は対応情報中の印刷方式に基づいて印刷データを生成する。一方、対応情報がメモリに記憶されていない媒体を印刷する場合には、印刷データ生成部は、所定の印刷方式に基づいて印刷データを生成する。  
しかしながら、この所定の印刷方式が、媒体にとって最適な印刷方式でないことがある。例えば、対応情報がメモリに記憶されていない媒体が、インク量が多い印刷方式に対応できる媒体であっても、印刷制御装置は、当該媒体を、所定の印刷方式であるインク量が少ない印刷方式に設定してしまう。そして、上記のような最適でない印刷方式に基づいて、印刷データ制御部が印刷データを生成してしまう。
【０００４】
本発明は、かかる課題に鑑みてなされたものであり、その目的とするところは、対応情報がメモリに記憶されていない媒体の最適な印刷方式を設定することである。
【課題を解決するための手段】
【０００５】
主たる本発明は、媒体の種類と印刷方式との対応関係を示す対応情報を記憶するメモリと、前記メモリを参照し、印刷される媒体の種類に対応した前記印刷方式を選択し、選択された前記印刷方式に基づいて印刷データを生成する印刷データ生成部と、を備え、前記対応情報が前記メモリに記憶されていない媒体の前記印刷方式を設定するための複数のパターンを、前記媒体に印刷する印刷制御装置であって、前記媒体に印刷された前記複数のパターンに関する２種類以上の情報を、ユーザーに入力させるための入力画面を表示し、前記入力画面に入力された前記２種類以上の情報に基づいて、前記印刷方式を設定することを特徴とする印刷制御装置である。
【０００６】
本発明の他の特徴については、本明細書及び添付図面の記載により明らかにする。
【発明の効果】
【０００７】
本発明によれば、媒体に印刷されたパターンを基に、媒体の最適な印刷方式を決定することができるから、対応情報がメモリに記憶されていない媒体の最適な印刷方式を設定することが可能となる。
【発明を実施するための最良の形態】
【０００８】
本明細書及び添付図面の記載により少なくとも次のことが明らかにされる。  
媒体の種類と印刷方式との対応関係を示す対応情報を記憶するメモリと、前記メモリを参照し、印刷される媒体の種類に対応した前記印刷方式を選択し、選択された前記印刷方式に基づいて印刷データを生成する印刷データ生成部と、を備え、前記対応情報が前記メモリに記憶されていない媒体の前記印刷方式を設定するための複数のパターンを、前記媒体に印刷する印刷制御装置であって、前記媒体に印刷された前記複数のパターンに関する２種類以上の情報を、ユーザーに入力させるための入力画面を表示し、前記入力画面に入力された前記２種類以上の情報に基づいて、前記印刷方式を設定することを特徴とする印刷制御装置。  
このような印刷制御装置によれば、媒体に印刷されたパターンを基に、媒体の最適な印刷方式を決定することができるから、対応情報がメモリに記憶されていない媒体の最適な印刷方式を設定することが可能となる。
【０００９】
また、前記２種類以上の情報の１つは、前記媒体に印刷された前記複数のパターンからのインクの滲みに関する情報であってもよい。  
このような印刷制御装置によれば、前記媒体に印刷された前記複数のパターンからのインクの滲みを検査することで、最適なパターンを選ぶことが可能となる。
【００１０】
また、前記２種類以上の情報の１つは、前記複数のパターン上の指紋の有無に関する情報であってもよい。  
このような印刷制御装置によれば、前記媒体に印刷された前記複数のパターン上の指紋の有無を検査することで、最適なパターンを選ぶことが可能となる。
【００１１】
また、前記２種類以上の情報の１つは、前記媒体に印刷された前記複数のパターン上を、ローラーが転がったときの、前記複数のパターン上のローラー痕の有無に関する情報であってもよい。  
このような印刷制御装置によれば、前記媒体に印刷された前記複数のパターン上を、ローラーが転がったときの、前記複数のパターン上のローラー痕の有無を検査することで、最適なパターンを選ぶことが可能となる。
【００１２】
また、前記印刷方式に応じて、前記媒体に印刷するときに用いられるインク量が異なることとしてもよい。  
媒体毎に、インクの吸収性が異なることが多いため、最適なインク量も異なる場合が多い。そのため、上記のような印刷制御装置によれば、媒体にとって最適なインク量の印刷方式を設定することが可能となる。
【００１３】
また、前記複数のパターンを、それぞれ印刷するときに用いられるインク量が異なることとしてもよい。  
このような印刷制御装置によれば、インクの量が異なる複数のパターンの中から、最適な印刷方式に対応するパターンを選ぶことができる。
【００１４】
また、前記メモリは、前記複数のパターンと前記印刷方式との対応関係を示す情報をさらに記憶し、前記入力画面に入力された前記２種類以上の情報に基づいて前記複数のパターンから１つのパターンを選択し、前記メモリを参照して、選択された前記１つのパターンに対応する前記印刷方式を設定することとしてもよい。  
このような印刷制御装置によれば、前記入力画面に入力された前記２種類以上の情報に基づいて前記複数のパターンから１つのパターンを選択するので、最適な印刷方式に対応するパターンを選ぶことができる。
【００１５】
また、前記入力画面に入力された前記２種類以上の情報は、それぞれ前記複数のパターンのうち１つのパターンに対応しており、各情報に対応するパターンのうち、印刷するときに用いられるインク量が最も多いパターンを選択することとしてもよい。  
このような印刷制御装置によれば、各情報に対応するパターンのうち、印刷するときに用いられるインク量が最も多いパターンを選択することができる。
【００１６】
また、前記媒体は、記憶媒体であることとしてもよい。  
このような印刷制御装置によれば、対応情報がメモリに記憶されていない媒体が記憶媒体である場合であっても、該記憶媒体の最適な印刷方式を設定することが可能となる。
【００１７】
また、前記記憶媒体は、ＣＤ−ＲＯＭ、又は、ＤＶＤであることとしてもよい。  
ＣＤ−ＲＯＭ、又は、ＤＶＤは、その表面のラベルに印刷される。しかし、ＣＤ−ＲＯＭ、又は、ＤＶＤの種類が異なる場合には、このラベルの特性（例えば、インクの吸収性）等が異なることが多く、各ＣＤ−ＲＯＭ、又は、ＤＶＤ毎に最適な印刷方式も異なることが多い。そのため、上記のような印刷制御装置によれば、対応情報がメモリに記憶されていないＣＤ−ＲＯＭ、又は、ＤＶＤの最適な印刷方式を設定することが可能となる。
【００１８】
また、前記複数のパターンは、前記ＣＤ−ＲＯＭ、又は、ＤＶＤの印刷面に環状に印刷されることとしてもよい。  
ＣＤ−ＲＯＭ、又は、ＤＶＤの形状は、円形である。そのため、上記のような印刷制御装置によれば、ＣＤ−ＲＯＭ、又は、ＤＶＤの印刷面を有効に活用することができる。
【００１９】
また、媒体の種類と印刷方式との対応関係を示す対応情報を記憶するメモリと、前記メモリを参照し、印刷される媒体の種類に対応した前記印刷方式を選択し、選択された前記印刷方式に基づいて印刷データを生成する印刷データ生成部と、を備え、前記対応情報が前記メモリに記憶されていない媒体の前記印刷方式を設定するための複数のパターンを、前記媒体に印刷する印刷制御装置であって、前記媒体に印刷された前記複数のパターンに関する２種類以上の情報を、ユーザーに入力させるための入力画面を表示し、前記入力画面に入力された前記２種類以上の情報に基づいて、前記印刷方式を設定し、前記２種類以上の情報の１つは、前記媒体に印刷された前記複数のパターンのインクの滲みに関する情報であり、前記２種類以上の情報の１つは、前記複数のパターン上の指紋の有無に関する情報であり、前記２種類以上の情報の１つは、前記媒体に印刷された前記複数のパターン上を、ローラーが転がったときの、前記複数のパターン上のローラー痕の有無に関する情報であり、前記印刷方式に応じて、前記媒体に印刷するときに用いられるインク量が異なり、前記複数のパターンを、それぞれ印刷するときに用いられるインク量が異なり、前記メモリは、前記複数のパターンと前記印刷方式との対応関係を示す情報をさらに記憶し、前記入力画面に入力された前記２種類以上の情報に基づいて前記複数のパターンから１つのパターンを選択し、前記メモリを参照して、選択された前記１つのパターンに対応する前記印刷方式を設定し、前記入力画面に入力された前記２種類以上の情報は、それぞれ前記複数のパターンのうち１つのパターンに対応しており、各情報に対応するパターンのうち、印刷するときに用いられるインク量が最も多いパターンを選択し、前記媒体は、記憶媒体であり、前記記憶媒体は、ＣＤ−ＲＯＭ、又は、ＤＶＤであり、前記複数のパターンは、前記ＣＤ−ＲＯＭ、又は、ＤＶＤの印刷面に環状に印刷されることを特徴とする印刷制御装置も実現可能である。  
このようにすれば、既述の総ての効果を奏するため、本発明の目的が最も有効に達成される。
【００２０】
また、媒体の種類と印刷方式との対応関係を示す対応情報を記憶するメモリと、前記メモリを参照し、印刷される媒体の種類に対応した前記印刷方式を選択し、選択された前記印刷方式に基づいて印刷データを生成する印刷データ生成部と、を備え、前記対応情報が前記メモリに記憶されていない媒体の前記印刷方式を設定するための複数のパターンを、前記媒体に印刷する印刷制御装置、及び、この印刷制御装置に接続可能な印刷装置であって、前記印刷データに基づいて前記媒体に印刷を実行する印刷装置、を有する印刷制御システムにおいて、前記媒体に印刷された前記複数のパターンに関する２種類以上の情報を、ユーザーに入力させるための入力画面を表示し、前記入力画面に入力された前記２種類以上の情報に基づいて、前記印刷方式を設定することを特徴とする印刷制御システムも実現可能である。  
このようにして実現された印刷制御システムは、従来印刷制御システムよりも優れた印刷制御システムとなる。
【００２１】
また、媒体の種類と印刷方式との対応関係を示す対応情報を参照するステップと、前記対応情報に基づいて、印刷される媒体の種類に対応した前記印刷方式を選択するステップと、選択された前記印刷方式に基づいて印刷データを生成するステップと、前記対応情報が前記メモリに記憶されていない媒体の前記印刷方式を設定するための複数のパターンを、前記媒体に印刷するステップと、を有する印刷制御方法において、前記媒体に印刷された前記複数のパターンに関する２種類以上の情報を、ユーザーに入力させるための入力画面を表示するステップと、前記入力画面に入力された前記２種類以上の情報に基づいて、前記印刷方式を設定するステップと、をさらに有することを特徴とする印刷制御方法も実現可能である。  
このようにして実現された印刷制御方法は、従来印刷制御方法よりも優れた印刷制御方法となる。
【００２２】
また、媒体の種類と印刷方式との対応関係を示す対応情報を記憶するメモリを参照し、印刷される媒体の種類に対応した前記印刷方式を選択し、選択された前記印刷方式に基づいて、印刷装置に印刷を実行させる印刷制御装置であって、前記対応情報が前記メモリに記憶されていない媒体の前記印刷方式を設定するための複数のパターンを、前記媒体に印刷する印刷制御装置に、前記媒体に印刷された前記複数のパターンに関する２種類以上の情報を、ユーザーに入力させるための入力画面を表示させる機能と、前記入力画面に入力された前記２種類以上の情報に基づいて、前記印刷方式を設定させる機能と、を実現させることを特徴とするプログラムも実現可能である。  
このようにして実現されたプログラムは、従来プログラムよりも優れたプログラムとなる。
【００２３】
＝＝＝印刷システムの構成＝＝＝
次に、印刷制御システムの一例である印刷システム（コンピュータシステム）の実施形態について、図面を参照しながら説明する。ただし、以下の実施形態の記載には、コンピュータプログラム、及び、コンピュータプログラムを記録した記録媒体等に関する実施形態も含まれている。
【００２４】
図１は、印刷システムの外観構成を示した説明図である。この印刷システム１００は、印刷装置の一例であるプリンタ１と、印刷制御装置の一例であるコンピュータ１１０と、表示部の一例である表示装置１２０と、入力装置１３０と、記録再生装置１４０とを備えている。
【００２５】
プリンタ１は、紙Ｓ、記憶媒体の一例であるＣＤ−ＲＯＭ（Compact disc read-only memory）としてのＣＤ−Ｒ（Compact disc recordable）、布、フィルム等の媒体に画像を印刷する印刷装置である。コンピュータ１１０は、プリンタ１と電気的に接続されており、プリンタ１に画像を印刷させるため、印刷させる画像に応じた印刷データをプリンタ１に出力する。表示装置１２０は、ディスプレイを有し、アプリケーションプログラムやプリンタドライバ等のユーザーインタフェースを表示する。入力装置１３０は、例えばキーボード１３０Ａやマウス１３０Ｂであり、表示装置１２０に表示されたユーザーインタフェースに沿って、アプリケーションプログラムの操作やプリンタドライバの設定等に用いられる。記録再生装置１４０は、例えばフレキシブルディスクドライブ装置１４０ＡやＣＤ−ＲＯＭドライブ装置１４０Ｂが用いられる。
【００２６】
コンピュータ１１０には、印刷データ生成部の一例であるプリンタドライバがインストールされている。プリンタドライバは、表示装置１２０にユーザーインタフェースを表示させる機能を実現させるほか、アプリケーションプログラムから出力された画像データを印刷データに変換する機能を実現させるためのプログラムである。このプリンタドライバは、フレキシブルディスクＦＤやＣＤ−ＲＯＭなどの記録媒体（コンピュータ読み取り可能な記録媒体）に記録されている。又は、このプリンタドライバは、インターネットを介してコンピュータ１１０にダウンロードすることも可能である。なお、このプログラムは、各種の機能を実現するためのコードから構成されている。
【００２７】
＝＝＝プリンタドライバ＝＝＝
＜プリンタドライバについて＞
図２は、プリンタドライバが行う基本的な処理の概略的な説明図である。既に説明された構成要素については、同じ符号を付しているので、説明を省略する。
【００２８】
コンピュータ１１０では、コンピュータに搭載されたオペレーティングシステムの下、ビデオドライバ１１２やアプリケーションプログラム１１４やプリンタドライバ１１６などのコンピュータプログラムが動作している。
【００２９】
ビデオドライバ１１２は、アプリケーションプログラム１１４やプリンタドライバ１１６からの表示命令に従って、例えば、ユーザーインターフェース等を表示装置１２０に表示する機能を有する。アプリケーションプログラム１１４は、例えば、画像編集などを行う機能を有し、画像に関するデータ（画像データ）を作成する。ユーザーは、アプリケーションプログラム１１４のユーザーインターフェースを介して、アプリケーションプログラム１１４により編集した画像を印刷する指示を与えることができる。アプリケーションプログラム１１４は、印刷の指示を受けると、プリンタドライバ１１６に画像データを出力する。
【００３０】
プリンタドライバ１１６は、アプリケーションプログラム１１４から画像データを受け取り、この画像データを印刷データに変換し、印刷データをプリンタに出力する。ここで、印刷データとは、プリンタ１が解釈できる形式のデータであって、各種のコマンドデータと画素データとを有するデータである。ここで、コマンドデータとは、プリンタに特定の動作の実行を指示するためのデータである。また、画素データとは、印刷される画像（印刷画像）を構成する画素に関するデータであり、例えば、ある画素に対応する紙Ｓ上の位置に形成されるドットに関するデータ（ドットの色や大きさ等のデータ）である。
【００３１】
プリンタドライバ１１６は、アプリケーションプログラム１１４から出力された画像データを印刷データに変換するため、解像度変換処理・色変換処理・ハーフトーン処理・ラスタライズ処理などを行う。以下に、プリンタドライバ１１６が行う各種の処理について説明する。
【００３２】
解像度変換処理は、アプリケーションプログラム１１４から出力された画像データ（テキストデータ、イメージデータなど）を、紙Ｓに印刷する際の解像度に変換する処理である。例えば、紙Ｓに画像を印刷する際の解像度が７２０×７２０ｄｐｉに指定されている場合、アプリケーションプログラム１１４から受け取った画像データを７２０×７２０ｄｐｉの解像度の画像データに変換する。なお、解像度変換処理後の画像データは、ＲＧＢ色空間により表される多階調（例えば２５６階調）のＲＧＢデータである。以下、画像データを解像度変換処理したＲＧＢデータをＲＧＢ画像データと呼ぶ。
【００３３】
色変換処理は、ＲＧＢデータをＣＭＹＫ色空間により表されるＣＭＹＫデータに変換する処理である。なお、ＣＭＹＫデータは、プリンタ１が有するインクの色に対応したデータである。この色変換処理は、ＲＧＢ画像データの階調値とＣＭＹＫ画像データの階調値とを対応づけたテーブル（色変換ルックアップテーブルＬＵＴ）をプリンタドライバ１１６が参照することによって行われる。この色変換処理により、各画素についてのＲＧＢデータが、インク色に対応するＣＭＹＫデータに変換される。なお、色変換処理後のデータは、ＣＭＹＫ色空間により表される２５６階調のＣＭＹＫデータである。以下、ＲＧＢ画像データを色変換処理したＣＭＹＫデータをＣＭＹＫ画像データと呼ぶ。
【００３４】
ハーフトーン処理は、高階調数のデータを、プリンタが形成可能な階調数のデータに変換する処理である。例えば、ハーフトーン処理により、２５６階調を示すデータが、２階調を示す１ビットデータや４階調を示す２ビットデータに変換される。ハーフトーン処理では、ディザ法・γ補正・誤差拡散法などを利用して、プリンタ１がドットを分散して形成できるように画素データを作成する。
【００３５】
プリンタドライバ１１６は、ハーフトーン処理を行うとき、ディザ法を行う場合にはディザテーブルを参照し、γ補正を行う場合にはガンマテーブルを参照し、誤差拡散法を行う場合は拡散された誤差を記憶するための誤差メモリを参照する。ハーフトーン処理されたデータは、前述のＲＧＢデータと同等の解像度（例えば７２０×７２０ｄｐｉ）を有している。ハーフトーン処理されたデータは、例えば、各画素につき１ビット又は２ビットのデータから構成される。以下、ハーフトーン処理されたデータのうち、１ビットデータのものを２値データと呼び、２ビットデータのものを多値データと呼ぶ。
【００３６】
ラスタライズ処理は、マトリクス状の画像データを、プリンタ１に転送すべきデータ順に変更する処理である。ラスタライズ処理されたデータは、印刷データに含まれる画素データとして、プリンタ１に出力される。
【００３７】
＜プリンタドライバの設定について＞
図３は、プリンタドライバのユーザインターフェースの説明図である。このプリンタドライバのユーザインターフェースは、ビデオドライバ１１２を介して、表示装置に表示される。ユーザーは、入力装置１３０を用いて、プリンタドライバの各種の設定を行うことができる。
【００３８】
ユーザーは、この画面上から、印刷方式を選択することができる。例えば、ユーザーは、印刷方式として、高速印刷方式又はファイン印刷方式を選択することができる。そして、プリンタドライバ１１６は、選択された印刷方式に応じた形式になるように、画像データを印刷データに変換する。
【００３９】
また、ユーザーは、この画面上から、印刷の解像度（印刷するときのドットの間隔）を選択することができる。例えば、ユーザーは、この画面上から、印刷の解像度として７２０ｄｐｉや３６０ｄｐｉを選択することができる。そして、プリンタドライバ１１６は、選択された解像度に応じて解像度変換処理を行い、画像データを印刷データに変換する。
【００４０】
また、ユーザーは、この画面上から、印刷に用いられる印刷紙ＳやＣＤ−Ｒを選択することができる。例えば、ユーザーは、印刷紙Ｓとして、普通紙や光沢紙を選択することができる。また、ユーザーは、ＣＤ−Ｒのメーカー名や型番等を選択することができる不図示の画面（以下、「ＣＤ−Ｒ選択画面」とも呼ぶ）上で、ＣＤ−Ｒの種類を選択することができる。ＣＤ−Ｒ選択画面は、図３に示す画面上で、ＣＤ−Ｒを選択し、ＣＤ−Ｒ選択画面を表示させるためのボタン上にマウス１３０Ｂを移動させて、マウス１３０Ｂをクリックすることによって、表示装置１２０に表示される。
【００４１】
なお、紙Ｓの種類（紙種）やＣＤ−Ｒの種類が異なれば、インクの滲み方や乾き方も異なるため、印刷に適したインク量も異なる。そのため、プリンタドライバ１１６は、選択された紙種やＣＤ−Ｒの種類に応じて、画像データを印刷データに変換する。
【００４２】
このように、プリンタドライバは、ユーザインターフェースを介して設定された条件に従って、画像データを印刷データに変換する。なお、ユーザーは、この画面上から、プリンタドライバの各種の設定を行うことができるほか、カートリッジ内のインクの残量を知ること等もできる。
【００４３】
＝＝＝プリンタの概要＝＝＝
＜＜＜インクジェットプリンタの構成について＞＞＞
図４は、本実施形態のプリンタの全体構成のブロック図である。また、図５は、本実施形態のプリンタの全体構成の概略図である。また、図６は、本実施形態のプリンタの全体構成の横断面図である。以下、本実施形態のプリンタの基本的な構成について説明する。
【００４４】
本実施形態のプリンタは、搬送ユニット２０、キャリッジユニット３０、ヘッドユニット４０、検出器群５０、及びコントローラ６０を有する。外部装置であるコンピュータ１１０から印刷データを受信したプリンタ１は、コントローラ６０によって各ユニット（搬送ユニット２０、キャリッジユニット３０、ヘッドユニット４０）を制御する。コントローラ６０は、コンピュータ１１０から受信した印刷データに基づいて、各ユニットを制御し、紙Ｓに画像を形成する。プリンタ１内の状況は検出器群５０によって監視されており、検出器群５０は、検出結果をコントローラ６０に出力する。検出器群５０から検出結果を受けたコントローラ６０は、その検出結果に基づいて、各ユニットを制御する。
【００４５】
搬送ユニット２０は、紙Ｓを印刷可能な位置に送り込み、印刷時に所定の方向（以下、搬送方向という）に所定の搬送量で紙Ｓを搬送させるためのものである。すなわち、搬送ユニット２０は、紙Ｓを搬送する搬送機構（搬送手段）として機能する。搬送ユニット２０は、給紙ローラ２１と、搬送モータ２２（ＰＦモータとも言う）と、搬送ローラ２３と、プラテン２４と、排紙ローラ２５とを有する。ただし、搬送ユニット２０が搬送機構として機能するためには、必ずしもこれらの構成要素を全て必要とするわけではない。
【００４６】
給紙ローラ２１は、紙挿入口に挿入された紙Ｓをプリンタ内に自動的に給紙するためのローラである。給紙ローラ２１は、Ｄ形の断面形状をしており、円周部分の長さは搬送ローラ２３までの搬送距離よりも長く設定されているので、この円周部分を用いて紙Ｓを搬送ローラ２３まで搬送できる。搬送モータ２２は、紙Ｓを搬送方向に搬送するためのモータであり、ＤＣモータにより構成される。搬送ローラ２３は、給紙ローラ２１によって給紙された紙Ｓを印刷可能な領域まで搬送するローラであり、搬送モータ２２によって駆動される。プラテン２４は、印刷中の紙Ｓを支持する。排紙ローラ２５は、印刷が終了した紙Ｓをプリンタの外部に排出するローラである。この排紙ローラ２５は、搬送ローラ２３と同期して回転する。
【００４７】
キャリッジユニット３０は、ヘッド４１を所定の方向に移動させるためのものである。キャリッジユニット３０は、キャリッジ３１と、キャリッジモータ３２（ＣＲモータとも言う）とを有する。キャリッジ３１は、キャリッジの移動方向に往復移動可能である。（これにより、ヘッド４１が所定の方向であるキャリッジの移動方向に沿って移動する。）また、キャリッジ３１は、インクを収容するインクカートリッジを着脱可能に保持している。キャリッジモータ３２は、キャリッジ３１をキャリッジの移動方向に移動させるためのモータであり、ＤＣモータにより構成される。
【００４８】
ヘッドユニット４０は、紙Ｓにインクを吐出するためのものである。ヘッドユニット４０は、ヘッド４１を有する。ヘッド４１は、インク吐出部であるノズルを複数有し、各ノズルから断続的にインクを吐出する。このヘッド４１は、キャリッジ３１に設けられている。そのため、キャリッジ３１がキャリッジの移動方向に移動すると、ヘッド４１もキャリッジの移動方向に移動する。そして、ヘッド４１がキャリッジの移動方向に移動中にインクを断続的に吐出することによって、キャリッジの移動方向に沿ったドットライン（ラスタライン）が紙Ｓに形成される。
【００４９】
検出器群５０には、リニア式エンコーダ５１、ロータリー式エンコーダ５２、紙検出センサ５３、及び光学センサ５４等が含まれる。リニア式エンコーダ５１は、キャリッジ３１のキャリッジの移動方向の位置を検出するためのものである。ロータリー式エンコーダ５２は、搬送ローラ２３の回転量を検出するためのものである。
【００５０】
紙検出センサ５３は、印刷される紙Ｓの先端の位置を検出するためのものである。この紙検出センサ５３は、給紙ローラ２１が搬送ローラ２３に向かって紙Ｓを給紙する途中で、紙Ｓの先端の位置を検出できる位置に設けられている。なお、紙検出センサ５３は、機械的な機構によって紙Ｓの先端を検出するメカニカルセンサである。詳しく言うと、紙検出センサ５３は搬送方向に回転可能なレバーを有し、このレバーは紙Ｓの搬送経路内に突出するように配置されている。そのため、紙Ｓの先端がレバーに接触し、レバーが回転させられるので、紙検出センサ５３は、このレバーの動きを検出することによって、紙Ｓの先端の位置を検出する。
【００５１】
光学センサ５４は、キャリッジ３１に取付けられている。光学センサ５４は、発光部から紙Ｓに照射された光の反射光を受光部が検出することにより、紙Ｓの有無を検出する。そして、光学センサ５４は、キャリッジ４１によって移動しながら紙Ｓの端部の位置を検出する。光学センサ５４は、光学的に紙Ｓの端部を検出するため、機械的な紙検出センサ５３よりも、検出精度が高い。
【００５２】
コントローラ６０は、プリンタの制御を行うための制御ユニット（制御手段）である。コントローラ６０は、インターフェース部６１と、ＣＰＵ６２と、メモリ６３と、ユニット制御回路６４とを有する。
【００５３】
インターフェース部６１は、外部装置であるコンピュータ１１０とプリンタ１との間でデータの送受信を行うためのものである。ＣＰＵ６２は、プリンタ全体の制御を行うための演算処理装置である。メモリ６３は、ＣＰＵ６２のプログラムを格納する領域や作業領域等を確保するためのものであり、ＲＡＭ、ＥＥＰＲＯＭ等の記憶手段を有する。ＣＰＵ６２は、メモリ６３に格納されているプログラムに従って、ユニット制御回路６４を介して各ユニットを制御する。
【００５４】
なお、上述では、媒体を紙Ｓとした場合のプリンタの構成について説明したが、媒体がＣＤ−Ｒである場合のプリンタの構成も同様である。ただし、ＣＤ−Ｒの場合には、図２０に示すように、ＣＤ−Ｒ８３をＣＤ−Ｒ搬送用トレイ９３に載せて搬送する。そして、ヘッド４１は、搬送されたＣＤ−Ｒの印刷面であるレーベル面にインクを吐出する。レーベル面は、ＣＤ−Ｒの種類が異なれば、レーベル面上のインクの滲み方や乾き方も異なるため、印刷に適したインク量も異なる。
【００５５】
＜＜＜印刷動作について＞＞＞
図７は、印刷時の処理のフロー図である。以下に説明される各処理は、コントローラ６０が、メモリ６３内に格納されたプログラムに従って、各ユニットを制御することにより実行される。このプログラムは、各処理を実行するためのコードを有する。
【００５６】
コントローラ６０は、コンピュータ１１０からインターフェース部６１を介して、印刷命令を受信する（Ｓ００１）。この印刷命令は、コンピュータ１１０から送信される印刷データのヘッダに含まれている。そして、コントローラ６０は、受信した印刷データに含まれる各種コマンドの内容を解析し、各ユニットを用いて、以下の給紙処理・搬送処理・インク吐出処理等を行う。
【００５７】
まず、コントローラ６０は、給紙処理を行う（Ｓ００２）。給紙処理とは、印刷すべき紙Ｓをプリンタ内に供給し、印刷開始位置（頭出し位置とも言う）に紙Ｓを位置決めする処理である。コントローラ６０は、給紙ローラ２１を回転させ、印刷すべき紙Ｓを搬送ローラ２３まで送る。コントローラ６０は、搬送ローラ２３を回転させ、給紙ローラ２１から送られてきた紙Ｓを印刷開始位置に位置決めする。紙Ｓが印刷開始位置に位置決めされたとき、ヘッド４１の少なくとも一部のノズルは、紙Ｓと対向している。
【００５８】
次に、コントローラ６０は、ドット形成処理を行う（Ｓ００３）。ドット形成処理とは、キャリッジの移動方向に沿って移動するヘッド４１からインクを断続的に吐出させ、紙Ｓ上にドットを形成する処理である。コントローラ６０は、キャリッジモータ３２を駆動し、キャリッジ３１をキャリッジの移動方向に移動させる。そして、コントローラ６０は、キャリッジ３１が移動している間に、印刷データに基づいてヘッド４１からインクを吐出させる。ヘッド４１から吐出されたインク滴が紙Ｓ上に着弾すれば、紙Ｓ上にドットが形成される。
【００５９】
次に、コントローラ６０は、搬送処理を行う（Ｓ００４）。搬送処理とは、紙Ｓをヘッド４１に対して搬送方向に沿って相対的に移動させる処理である。コントローラ６０は、搬送モータ２２を駆動し、搬送ローラ２３を回転させて紙Ｓを搬送方向に搬送する。この搬送処理により、ヘッド４１は、先ほどのドット形成処理によって形成されたドットの位置とは異なる位置に、ドットを形成することが可能になる。
【００６０】
次に、コントローラ６０は、印刷中の紙Ｓの排紙の判断を行う（Ｓ００５）。印刷中の紙Ｓに印刷するためのデータが残っていれば、排紙は行われない。そして、コントローラ６０は、印刷するためのデータがなくなるまでドット形成処理と搬送処理とを交互に繰り返し、ドットから構成される画像を徐々に紙Ｓに印刷する。印刷中の紙Ｓに印刷するためのデータがなくなれば、コントローラ６０は、その紙Ｓを排紙する。コントローラ６０は、排紙ローラ２５を回転させることにより、印刷した紙Ｓを外部に排出する。なお、排紙を行うか否かの判断は、印刷データに含まれる排紙コマンドに基づいても良い。
【００６１】
次に、コントローラ６０は、印刷を続行するか否かの判断を行う（Ｓ００６）。次の紙Ｓに印刷を行うのであれば、印刷を続行し、次の紙Ｓの給紙処理を開始する。次の紙Ｓに印刷を行わないのであれば、印刷動作を終了する。
【００６２】
＜＜＜ノズルについて＞＞＞
図８は、ヘッド４１の下面におけるノズルの配列を示す説明図である。ヘッド４１の下面には、ブラックインクノズル群Ｋと、シアンインクノズル群Ｃと、マゼンタインクノズル群Ｍと、イエローインクノズル群Ｙが形成されている。各ノズル群は、各色のインクを吐出するための吐出口であるノズルを複数個（本実施形態では１８０個）備えている。
【００６３】
各ノズル群の複数のノズルは、搬送方向に沿って、一定の間隔（ノズルピッチ：ｋ・Ｄ）でそれぞれ整列している。ここで、Ｄは、搬送方向における最小のドットピッチ（つまり、紙Ｓに形成されるドットの最高解像度での間隔）である。また、ｋは、１以上の整数である。例えば、ノズルピッチが１８０ｄｐｉ（１／１８０インチ）であって、搬送方向のドットピッチが７２０ｄｐｉ（１／７２０）である場合、ｋ＝４である。
【００６４】
各ノズル群のノズルは、下流側のノズルほど若い番号が付されている（♯１〜♯１８０）。つまり、ノズル♯１は、ノズル♯１８０よりも搬送方向の下流側に位置している。各ノズルには、各ノズルを駆動してインク滴を吐出させるための駆動素子としてピエゾ素子（不図示）が設けられている。また、光学センサ５４は、搬送方向の位置に関して、一番上流側にあるノズル♯１８０とほぼ同じ位置にある。
【００６５】
＝＝＝対応情報を記憶しているメモリについて＝＝＝
コンピュータ１１０に格納されているメモリＭには、媒体の種類と印刷方式との対応関係を示す対応情報を含んでいるテーブルが記憶されている。このテーブルには、印刷される媒体が紙Ｓである場合のテーブルＴ１と、印刷される媒体がＣＤ−Ｒである場合のテーブルＴ２と、がある。そこで、対応情報を含んでいるテーブルＴについて、媒体が紙Ｓである場合と、媒体がＣＤ−Ｒである場合と、に分けて説明する。
【００６６】
＜＜＜媒体が紙Ｓである場合＞＞＞
まず、媒体が紙Ｓである場合のテーブルＴ１について、図９Ａを参照しつつ説明する。なお、図９Ａは、コンピュータ１１０に格納されているメモリＭに記憶されているテーブルであって、媒体が紙Ｓである場合の対応情報を含んだテーブルを示した図である。
【００６７】
図９Ａには、紙Ｓとして、「普通紙」、「スーパーファイン紙」、「フォトプリント紙」等が示されている。また、印刷方式として、「Ｍ３」、「Ｍ６」等が示されている。この場合、対応情報とは、例えば、「普通紙」と「Ｍ３」との対応関係を示すものである。なお、印刷方式「Ｍ３」、「Ｍ６」等の違いは、紙Ｓに印刷されるインク量が異なることである。すなわち、印刷方式に応じて、媒体に印刷する際に用いられるインク量が異なる。
【００６８】
＜＜＜媒体がＣＤ−Ｒである場合＞＞＞
次に、媒体がＣＤ−Ｒである場合のテーブルＴ２について、図９Ｂを参照しつつ説明する。なお、図９Ｂは、コンピュータ１１０に格納されているメモリＭに記憶されているテーブルであって、媒体がＣＤ−Ｒである場合の対応情報を含んだテーブルを示した図である。
【００６９】
ＣＤ−Ｒの種類を特定するのに、メーカー名、型番、容量、レーベル面の色が用いられる。図９Ｂには、メーカー名として、「甲」、「乙」、「丙」が示され、型番として、「Ａ１」、「Ａ２」、「Ｂ１」、「Ｃ１」等が示され、容量として、「６５０Ｍ」、「７００Ｍ」が示され、レーベル面の色として、「ホワイト」、「シルバー」が示されている。また、印刷方式として、「Ｍ４」、「Ｍ５」等が示されている。この場合、対応情報とは、メーカー名が「甲」であり、型番が「Ａ１」であり、容量が「６５０Ｍ」であり、レーベル面の色が「ホワイト」であるＣＤ−Ｒと、印刷方式「Ｍ４」、との対応関係を示すものである。
【００７０】
プリンタドライバ１１６は、媒体の種類と印刷方式との対応関係を示す対応情報を記憶しているメモリＭを参照し、印刷される媒体の種類に対応した印刷方式を選択し、選択された印刷方式に基づいて印刷データを生成する。例えば、プリンタドライバ１１６は、メーカー名が「甲」、型番が「Ａ３」、容量が「６５０Ｍ」、レーベル面の色が「シルバー」であるＣＤ−Ｒに対応した印刷方式「Ｍ６」に基づいて、印刷データを生成する。
【００７１】
＝＝＝媒体の印刷方式を設定するためのパターンについて＝＝＝
＜＜＜媒体に印刷されるテストパターン＞＞＞
媒体に印刷されるテストパターンについて、図１０Ａ、及び、図１０Ｂを参照しながら説明する。図１０Ａは、テストパターンが印刷されたＣＤ−Ｒ８３を示した図である。図１０Ｂは、テストパターンが印刷された紙Ｓを示した図である。
【００７２】
テストパターンは、コンピュータ１１０から送信される該テストパターンに対応する印刷データに基づいて、プリンタ１によってＣＤ−Ｒ８３や紙Ｓに印刷される。このテストパターンは、対応情報がテーブルＴに記憶されていない媒体の印刷方式を設定するためのものである。
【００７３】
ＣＤ−Ｒ８３や紙Ｓには、６つのテストパターン＃１、＃２、＃３、＃４、＃５、＃６が印刷されている。媒体がＣＤ−Ｒ８３の場合には、図１０Ａに示すように、６つのテストパターン＃１〜＃６が、ＣＤ−Ｒ８３のレーベル面に環状に印刷されている。すなわち、図１０Ａに示すように、時計回りに、テストパターン＃１、＃２、＃３、＃４、＃５、＃６が印刷されている。一方、媒体が紙Ｓの場合には、図１０Ｂに示すように、６つのテストパターン＃１〜＃６が、紙Ｓの搬送方向に印刷されている。
【００７４】
また、テストパターン＃１〜＃６は、それぞれのテストパターンが媒体に印刷される際に用いられるインク量が異なる。すなわち、テストパターン＃１が媒体に印刷される際に用いられるインク量が一番多く、テストパターン＃２が媒体に印刷する際に用いられるインク量が二番目に多く、その後、テストパターン＃３、＃４、＃５、＃６になるにつれて、媒体に印刷される際に用いられるインク量が少なくなる。また、テストパターン＃１〜＃６は、一定の割合で、印刷される際に用いられるインク量が異なる。例えば、一つのテストパターンに対して、印刷される際に用いられる最大のインク量を１００％とした時に、テストパターン＃１が９０％、テストパターン＃２が７５％、テストパターン＃６が１５％というように、１５％間隔で印刷する際に用いられるインク量が異なる。
【００７５】
＜＜＜テストパターンと印刷方式との対応関係を示す情報＞＞＞
テストパターンと印刷方式との対応関係を示す情報について、図１１を参照しつつ説明する。図１１は、テストパターンと印刷方式との対応関係を示す情報を含んでいるテーブルＴ３を示した図である。  
上記のテーブルＴ３は、コンピュータ１１０に格納されているメモリＭに記憶されている。なお、テーブルＴ３は、媒体がＣＤ−Ｒの場合のテーブルである。そのため、テーブルＴには、媒体が紙Ｓである場合のテーブルをさらに含んでいる。  
図１１に示すテーブルＴ３には、テストパターンとして、「＃１」、「＃２」等が示されている。また、テーブルＴ３には、印刷方式として、「Ｍ６」、「Ｍ５」等が示されている。この場合、テストパターンと印刷方式との対応関係を示す情報とは、例えば、テストパターン「＃１」と印刷方式「Ｍ６」との対応関係を示すものである。  
プリンタドライバ１１６は、対応情報がメモリＭに記憶されていない媒体の印刷方式を設定する際に、このテーブルＴ３を参照して、テストパターンに対応する印刷方式を選択する。例えば、プリンタドライバ１１６は、図１０Ａに示すＣＤ−Ｒの印刷方式を設定する際に、テストパターン＃６に対応する印刷方式Ｍ１を選択する。
【００７６】
＝＝＝表示部に表示される画面について＝＝＝
表示装置１２０に表示される、テストパターン印刷実行画面、テストパターン印字結果入力画面、及び、媒体情報入力画面について説明する。
【００７７】
＜＜＜テストパターン印刷実行画面＞＞＞
媒体にテストパターンの印刷を実行するか否かをユーザーに選択させるためのテストパターン印刷実行画面の一例について、図１２Ａ及び図１２Ｂを参照しつつ説明する。図１２Ａは、テストパターンの印刷実行を選択するための画面を示した図である。図１２Ｂは、テストパターンが印刷される媒体の形状を選択するための画面を示した図である。
【００７８】
図１２Ａに示す画面は、図３に示す画面において、移動可能なカーソル（不図示）を「ユーティリティ」上に移動させた状態で、マウス１３０Ｂをクリックすることによって、表示装置１２０に表示される。図１２Ａに示す画面には、プリンタドライバ１１６に対して、テストパターンを媒体に印刷させることを認識させるための「印刷方式設定用テストパターン印刷」ボタン２００が表示されている。また、図１２Ａに示す画面には、その他に、例えば、ヘッド４１のクリーニングを実行させるための「ヘッドクリーニング」ボタン２０５が表示される。  
図１２Ｂに示す画面は、ユーザーが、図１２Ａに示す「印刷方式設定用テストパターン印刷」ボタン２００上にカーソルを移動させ、マウス１３０Ｂをクリックすることによって表示される。図１２Ｂに示す画面には、形状選択部２２０と、印刷実行ボタン２３０と、が表示されている。
【００７９】
形状選択部２２０は、テストパターンが印刷される媒体の形状を選択するためのものである。形状選択部２２０には、選択可能な媒体の形状の候補を表示させるためのプルダウンボタン２２１が設けられている。すなわち、ユーザーが、プルダウンボタン２２１上にカーソルを移動させ、マウス１３０Ｂをクリックすると、プリンタドライバ１１６は、形状選択部２２０に、媒体の形状の候補を表示させる。形状選択部２２０に表示される選択可能な媒体の形状の候補としては、例えば、「Ａ４」、「Ａ３」、「Ｂ４」、「ＣＤ−Ｒ」等である。そして、ユーザーが、形状選択部２２０に表示された候補上にカーソルを移動させ、マウス１３０Ｂをクリックすると、プリンタドライバ１１６は、該候補を形状選択部２２０に表示させる。本実施形態においては、「ＣＤ−Ｒ」が表示されている。
【００８０】
印刷実行ボタン２３０は、形状選択部２２０にて選択された媒体にテストパターンの印刷を実行させるためのものである。ユーザーが、印刷実行ボタン２３０上にカーソルを移動させ、マウス１３０Ｂをクリックすると、プリンタドライバ１１６は、プリンタ１に対して、形状選択部２２０にて選択された媒体へテストパターンを印刷させる印刷命令を送信するとともに、後述するテストパターン印字結果入力画面を表示装置１２０に表示させる。
【００８１】
＜＜＜テストパターン印字結果入力画面＞＞＞
媒体に印刷された複数のテストパターンに関する２種類以上の情報を、ユーザーに入力させるためのテストパターン印字結果入力画面について、図１３を参照して説明する。図１３は、表示装置１２０に表示された印字結果入力画面について説明するための説明図である。  
印字結果入力画面は、ユーザーが図１２Ｂに示すテストパターン印刷実行画面の印刷実行ボタン２３０上にカーソルを移動させ、マウス１３０Ｂをクリックすることによって、表示装置１２０に表示される。  
印字結果入力画面には、複数のテストパターンからのインクの滲みの状態に関する情報を入力するための入力部２５１と、複数のテストパターンのインクのベタツキに関する情報を入力するための入力部２５２と、複数のテストパターン上を、ローラーが転がったときの、複数のテストパターン上のローラー痕の有無に関する情報を入力するための入力部２５３と、印字結果入力決定ボタン２６０とが表示されている。
【００８２】
＜＜インクの滲みの状態に関する情報について＞＞
次に、インクの滲みの状態に関する情報について、図１４を参照して説明する。図１４は、インクの滲みの状態に関する情報について説明するための説明図である。
【００８３】
図１４に示されるように、ＣＤ−Ｒ８３のレーベル面には、環状に時計回りに、テストパターン＃１、＃２、＃３、＃４、＃５、＃６が印刷されている。そして、１つのテストパターンに対して、印刷される際に用いられる最大のインク量を１００％としたときに、テストパターン＃１が９０％、テストパターン＃２が７５％、テストパターン＃６が１５％というように、印刷する際に用いられるインク量が１５％間隔で異なっている。そして、テストパターン＃１の右上角部からは、テストパターンが形成されるべき枠の外部にまで、インクが滲み出している。そして、テストパターン＃２の右上角部からは、テストパターンが形成されるべき枠の外部には、インクは滲み出していない。テストパターン＃３以降のテストパターンを印刷する際に用いられるインク量は、テストパターン＃２を印刷する際に用いられるインク量より少ない。よって、テストパターン＃３以降のテストパターンからは、テストパターンが形成されるべき枠の外部には、インクは滲み出さない。
【００８４】
したがって、ユーザーは、まず、ＣＤ−Ｒ８３のレーベル面に印刷されたテストパターン＃１、＃２、＃３、＃４、＃５、＃６からのインクの滲みの状態を目視で確認する。そして、ユーザーは、インクの滲みが生じていないテストパターンのうち最も大きい番号のテストパターンの番号（テストパターンを印刷する際に用いられるインク量が最も多いテストパターンの番号）を、入力部２５１に入力する。
【００８５】
＜＜インクのベタツキの状態に関する情報について＞＞
次に、インクのベタツキの状態に関する情報について、図１５Ａ、及び、図１５Ｂを参照して説明する。図１５Ａは、ＣＤ−Ｒ８３のレーベル面に印刷された複数のテストパターンをユーザーが指で押して、インクのベタツキの状態を調べることを説明するための説明図である。図１５Ｂは、ＣＤ−Ｒ８３のレーベル面に印刷された複数のテストパターンをユーザーが指で押したときの複数のテストパターン上の指紋の有無を、ユーザーが、確認することを説明するための説明図である。
【００８６】
図１５Ａに示されるように、ＣＤ−Ｒ８３のレーベル面には、環状に時計回りに、テストパターン＃１、＃２、＃３、＃４、＃５、＃６が印刷されている。そして、１つのテストパターンに対して、印刷される際に用いられる最大のインク量を１００％としたときに、テストパターン＃１が９０％、テストパターン＃２が７５％、テストパターン＃６が１５％というように、印刷する際に用いられるインク量が１５％間隔で異なっている。
【００８７】
図１５Ａに示されるように、インクのベタツキの状態を調べるために、ユーザーは、ＣＤ−Ｒ８３のレーベル面に印刷された複数のテストパターンを、指で押している。  
そして、図１５Ｂに示されるように、ユーザーは、複数のテストパターン上の指紋の有無を確認する。図１５Ｂに示される例においては、テストパターン＃１上には、比較的濃い指紋が形成されている。テストパターン＃２上には、比較的薄い指紋が形成されている。そして、テストパターン＃３上には、指紋は形成されていない。
【００８８】
テストパターン＃４以降のテストパターンを印刷する際に用いられるインク量は、テストパターン＃３を印刷する際に用いられるインク量より少ない。よって、テストパターン＃４以降のテストパターン上には、指紋は形成されない。  
したがって、ユーザーは、まず、ＣＤ−Ｒ８３のレーベル面に印刷されたテストパターン＃１、＃２、＃３、＃４、＃５、＃６上の指紋の有無を目視で確認する。そして、ユーザーは、テストパターン上に指紋が形成されていないテストパターンのうち最も大きい番号のテストパターンの番号（テストパターンを印刷する際に用いられるインク量が最も多いテストパターンの番号）を、入力部２５２に入力する。
【００８９】
＜＜ローラー痕の状態に関する情報について＞＞
次に、ローラー痕の状態に関する情報について、図１６Ａ、及び、図１６Ｂを参照して説明する。図１６Ａは、複数のテストパターン上を、ローラーが転がったときの、複数のテストパターン上のローラー痕の有無について説明するための説明図である。図１６Ｂは、ローラー痕について説明するための説明図である。
【００９０】
ローラー痕の有無とは、図１６Ａに示されるように、ユーザーが、ローラー９５を、それぞれのテストパターン上を矢印の方向に転がしたとき、それぞれのテストパターン上にローラー痕が形成されるか否かのことである。ここで、ローラー痕について図１６Ｂを参照して説明する。ローラー痕は、図１６Ｂに示されるように、ローラー９５がそれぞれのテストパターン上を転がったときに、ローラー９５が転がった部分とローラー９５が転がらなかった部分との境界部に形成される僅かな段差のことである。
【００９１】
テストパターン上にローラー痕が有る場合には、テストパターンを形成するのに用いられているインクが十分にレーベル面に吸収されていないことを示す。一方、テストパターン上にローラー痕が無い場合には、テストパターンを形成するのに用いられているインクが十分にレーベル面に吸収されたことを示す。そのため、最適なテストパターンとしては、テストパターン上にローラー痕が無いものが望ましい。
【００９２】
図１６Ａに示されるように、ＣＤ−Ｒ８３のレーベル面には、環状に時計回りに、テストパターン＃１、＃２、＃３、＃４、＃５、＃６が印刷されている。そして、１つのテストパターンに対して、印刷される際に用いられる最大のインク量を１００％としたときに、テストパターン＃１が９０％、テストパターン＃２が７５％、テストパターン＃６が１５％というように、印刷する際に用いられるインク量が１５％間隔で異なっている。
【００９３】
そして、図１６Ａに示されるように、ユーザーは、ローラー９５を、それぞれのテストパターン上を矢印の方向に転がす。そして、ユーザーは、それぞれのテストパターン上にローラー痕が形成されるか否かを、目視にて確認する。今、テストパターン＃１上には、比較的濃いローラー痕が形成されたと仮定する。テストパターン＃２上には、比較的薄いローラー痕が形成されたと仮定する。テストパターン＃３上にも、比較的薄いローラー痕が形成されたと仮定する。そして、テストパターン＃４上には、ローラー痕は形成されないと仮定する。
【００９４】
テストパターン＃５以降のテストパターンを印刷する際に用いられるインク量は、テストパターン＃４を印刷する際に用いられるインク量より少ない。よって、テストパターン＃５以降のテストパターン上には、ローラー痕は形成されない。
【００９５】
したがって、ユーザーは、まず、ＣＤ−Ｒ８３のレーベル面に印刷されたテストパターン＃１、＃２、＃３、＃４、＃５、＃６上のローラー痕の有無を目視で確認する。そして、ユーザーは、テストパターン上にローラー痕が形成されていないテストパターンのうち最も大きい番号のテストパターンの番号（テストパターンを印刷する際に用いられるインク量が最も多いテストパターンの番号）を、入力部２５３に入力する。
【００９６】
次に、印字結果入力画面の入力部２５１、入力部２５２、及び、入力部２５３に、ユーザーによって、テストパターンの番号が入力された後の処理について説明する。  
図１３に示される印字結果入力画面においては、入力部２５１には、＃２の番号が入力されている。入力部２５２には、＃３の番号が入力されている。入力部２５３には、＃４の番号が入力されている。このように、まず、ユーザーは、印字結果入力画面の入力部２５１、入力部２５２、及び、入力部２５３に、テストパターンの番号を入力する。そして、ユーザーは、印字結果入力決定ボタン２６０上にカーソルを移動させ、マウス１３０Ｂをクリックする。すると、プリンタドライバ１１６は、テストパターン＃４が最適なテストパターンであると認識するとともに、図１７に示す画面を表示装置１２０に表示させる。
【００９７】
ここで、プリンタドライバ１１６が、テストパターン＃４が最適なテストパターンであると認識する理由について説明する。プリンタドライバ１１６は、入力部２５１、入力部２５２、及び、入力部２５３に入力されたテストパターンの番号のうち、最も大きい番号のテストパターンを最適なテストパターンであると認識する。なぜなら、本実施の形態において、例えば、プリンタドライバ１１６がテストパターン＃３が最適なテストパターンであると認識してしまった場合には、図１６Ａに示されるテストパターン＃３上には、比較的薄いローラー痕が形成されているにもかかわらず、テストパターン＃３が最適なテストパターンであると認識されてしまうこととなる。したがって、本実施の形態においては、プリンタドライバ１１６は、入力部２５１、入力部２５２、及び、入力部２５３に入力されたテストパターンの番号のうち、最も大きい番号のテストパターンを最適なテストパターンであると認識する。
【００９８】
＜＜＜媒体情報入力画面＞＞＞
テストパターンが印刷された媒体の種類に関する情報を、ユーザーに入力させるための媒体情報入力画面について、図１７を参照しつつ説明する。図１７は、表示装置１２０に表示された媒体情報入力画面を示した図である。
【００９９】
図１７に示す媒体情報入力画面は、ＣＤ−Ｒの種類に関する情報を入力するための画面（以下、「ＣＤ−Ｒ入力画面」とも呼ぶ）である。一方、紙Ｓに関する情報を入力する画面（以下、「紙入力画面」とも呼ぶ）は、図１７に示す画面とは異なる。そのため、図１２Ｂに示す形状選択部２２０で選択された情報に基づいて、ＣＤ−Ｒ入力画面と紙入力画面とのいずれか一方が、媒体情報入力画面として表示装置１２０に表示される。
【０１００】
図１７に示す媒体情報入力画面には、メーカー名入力部３１０と、容量入力部３２０と、色入力部３３０と、型番入力部３４０とが表示されている。メーカー名入力部３１０は、テストパターンが印刷されたＣＤ−Ｒのメーカー名を入力するためのものである。容量入力部３２０は、テストパターンが印刷されたＣＤ−Ｒの容量を入力するためのものである。色入力部３３０は、テストパターンが印刷されたＣＤ−Ｒのレーベル面の色を入力するためのものである。型番入力部３４０は、テストパターンが印刷されたＣＤ−Ｒの型番を入力するためのものである。
【０１０１】
ユーザーは、各入力部３１０、３２０、３３０、３４０にて、キーボード１３０Ａを用いて、各情報を入力することができる。本実施形態においては、メーカー名として「甲」、容量として「７００」Ｍ、レーベル面の色として「ホワイト」、及び、型番として「Ａ７」が入力されている。
【０１０２】
また、図１７に示す媒体情報入力画面には、上記の各入力部３１０、３２０、３３０、３４０にて入力された情報をコンピュータ１１０に記憶させるための登録ボタン３５０が表示されている。すなわち、ユーザーが、登録ボタン３５０上にカーソルを移動させ、マウス１３０Ｂをクリックすると、コンピュータ１１０は、テストパターンが印刷されたＣＤ−Ｒを、メーカー名が「甲」であり、容量が「７００」Ｍであり、レーベル面の色が「ホワイト」であり、型番が「Ａ７」であるＣＤ−Ｒと記憶する。
【０１０３】
＝＝＝印刷制御装置の動作について＝＝＝
対応情報がメモリＭに記憶されていない媒体の対応情報をメモリＭに記憶させる際のコンピュータ１１０の動作について、図１８を参照しつつ説明する。なお、コンピュータ１１０内のプリンタドライバ１１６が、以下の動作を実行している。図１８は、印刷制御装置の動作例を説明するためのフロー図である。
【０１０４】
プリンタドライバ１１６は、コンピュータ本体のＣＰＵやメモリ等のハードウェア資源を活用し、以下の説明する処理を実行する。つまり、以下に説明する処理をコンピュータ本体に実行させるためのプログラムを備えている。
【０１０５】
初めに、プリンタドライバ１１６は、ビデオドライバ１１２を介して、表示装置１２０に図３に示すインターフェースを表示させる（ステップＳ１０２）。そして、ユーザーが、図３に示す画面の「ユーティリティ」上にカーソルを移動させ、マウス１３０Ｂをクリックすると、プリンタドライバ１１６は、図１２Ａに示すテストパターンの印刷を実行するための画面を表示装置１２０に表示させる（ステップＳ１０４）。
【０１０６】
次に、ユーザーが、図１２Ａに示す画面上の「印刷方式設定用テストパターン印刷」ボタン２００上にカーソルを移動させ、マウス１３０Ｂをクリックすると、プリンタドライバ１１６は、図１２Ｂに示す媒体の形状を選択するための画面を表示させる（ステップＳ１０６）。
【０１０７】
そして、ユーザーが、図１２Ｂに示すように、印刷される媒体としてＣＤ−Ｒを選択し、印刷実行ボタン２３０上にカーソルを移動させ、マウス１３０Ｂをクリックすると、プリンタドライバ１１６は、印刷される媒体の形状がＣＤ−Ｒであると認識し、テストパターンをＣＤ−Ｒに印刷させるための印刷データをプリンタ１に送信する（ステップＳ１０８）。そして、印刷データを受信したプリンタ１は、ＣＤ−Ｒにテストパターンを印刷する。
【０１０８】
次に、プリンタドライバ１１６は、ＣＤ−Ｒに印刷されたテストパターンの印字結果を入力させるための印字結果入力画面を表示装置１２０に表示させる（ステップ１１０）。すなわち、プリンタドライバ１１６は、図１３に示す印字結果入力画面を表示装置１２０に表示させる。
【０１０９】
そして、ユーザーは、印字結果入力画面の入力部２５１、入力部２５２、及び、入力部２５３に、テストパターンの番号を入力した後、印字結果入力決定ボタン２６０上にカーソルを移動させ、マウス１３０Ｂをクリックする。すると、プリンタドライバ１１６は、入力部２５１、入力部２５２、及び、入力部２５３に入力されたテストパターンの番号のうち、最も大きい番号のテストパターンを最適なテストパターンとして記憶する（ステップＳ１１２）。
【０１１０】
次に、プリンタドライバ１１６は、テストパターンが印刷されたＣＤ−Ｒの種類に関する情報をユーザーに入力させるための画面を表示装置１２０に表示させる（ステップＳ１１４）。すなわち、プリンタドライバ１１６は、図１７に示す入力画面を表示装置１２０に表示させる。
【０１１１】
そして、ユーザーが、入力画面上で、各入力部３１０、３２０、３３０、３４０に情報を入力し、登録ボタン３５０上にカーソル移動させ、マウス１３０Ｂをクリックすると、プリンタドライバ１１６は、テストパターンが印刷されたＣＤ−Ｒの種類を記憶する（ステップＳ１１６）。すなわち、プリンタドライバ１１６は、テストパターンが印刷されたＣＤ−Ｒを、メーカー名が「甲」で、容量が「７００」で、レーベル面の色が「ホワイト」で、型番が「Ａ７」であるＣＤ−Ｒと記憶する。
【０１１２】
次に、プリンタドライバ１１６は、テストパターンと印刷方式との対応関係を示す情報を記憶しているメモリＭを参照し、最適なテストパターンに対応する印刷方式を選択し、印刷されるＣＤ−Ｒの印刷方式を設定する（ステップＳ１１８）。すなわち、プリンタドライバ１１６は、図１１に示すテーブルＴ３を参照して、ＣＤ−Ｒの印刷方式を、最適なテストパターンに対応する印刷方式に設定する。
【０１１３】
次に、プリンタドライバ１１６は、印刷されるＣＤ−Ｒの対応情報をメモリＭに記憶させる（ステップＳ１２０）。すなわち、プリンタドライバ１１６は、入力画面にて入力されたＣＤ−Ｒの種類に関する情報と、印字結果入力画面にて選択されたテストパターンに対応する印刷方式と、の対応関係を示す対応情報をメモリＭに記憶させる。すると、メモリＭには、図１９に示すように、メーカー名が「甲」で、型番が「Ａ７」で、容量が「７００Ｍ」で、レーベル面の色が「ホワイト」であるＣＤ−Ｒと、印刷方式「Ｍ１」と、の対応関係を示す対応情報が、記憶される。
【０１１４】
そして、メモリＭに記憶された該対応情報中の媒体の種類に関する情報が、前述したユーザインターフェース上に表示される。媒体が紙Ｓである場合には、該紙Ｓの種類に関する情報が、図３に示す画面に表示される。媒体がＣＤ−Ｒの場合には、該ＣＤ−Ｒの種類に関する情報が、不図示のＣＤ−Ｒ選択画面に表示される。そのため、次回の印刷の際に、これらの画面で、媒体を選択することができる。  
こうして、プリンタドライバ１１６は、対応情報がメモリＭに記憶されていない媒体の対応情報をメモリＭに記憶させるための一連の動作を終了する。
【０１１５】
＝＝＝テストパターンを媒体に印刷することによる効果＝＝＝
上述したように、コンピュータ１１０は、対応情報がメモリＭに記憶されていない媒体の印刷方式を設定するためのテストパターンを、媒体に印刷する。このことにより、対応情報がメモリＭに記憶されていない媒体の最適な印刷方式を設定することが可能となる。以下において、詳細に説明する。
【０１１６】
従来、対応情報がメモリＭに記憶されているＣＤ−Ｒに印刷する場合には、プリンタドライバ１１６は、メモリＭに記憶されている対応情報中の印刷方式に基づいて印刷データを生成する。一方、対応情報がメモリＭに記憶されていないＣＤ−Ｒに印刷する場合には、プリンタドライバ１１６は、所定の印刷方式に基づいて印刷データを生成する。
【０１１７】
しかしながら、この所定の印刷方式が、ＣＤ−Ｒにとって最適な印刷方式でないことがある。例えば、対応情報がメモリＭに記憶されていないＣＤ−Ｒが、インク量が多い印刷方式（例えば、印刷方式Ｍ６）に対応できても、コンピュータ１１０は、該ＣＤ−Ｒを、所定の印刷方式（例えば、印刷方式Ｍ３）に設定してしまう。また、対応情報がメモリＭに記憶されていないＣＤ−Ｒが、インク量が少ない印刷方式（例えば、印刷方式Ｍ１）に対応するのに、コンピュータ１１０は、該ＣＤ−Ｒを、所定の印刷方式（例えば、印刷方式Ｍ３）に設定してしまう。
【０１１８】
そして、上記のような最適でない印刷方式に基づいて、プリンタドライバ１１６が印刷データを生成してしまうと、ＣＤ−Ｒの最適な印刷品質を得ることが困難となる。すなわち、印刷方式Ｍ６に対応するＣＤ−Ｒに、所定の印刷方式Ｍ３に基づいて印刷データを生成すると、ＣＤ−Ｒに低品質の画像が印刷されてしまう。また、印刷方式Ｍ１に対応するＣＤ−Ｒに、所定の印刷方式Ｍ３に基づいて印刷データを生成すると、ＣＤ−Ｒ上にインクの滲み等が発生してしまう。  
そこで、コンピュータ１１０は、対応情報がメモリＭに記憶されていないＣＤ−Ｒの印刷方式を設定するためのテストパターンを、ＣＤ−Ｒに印刷することとする。
【０１１９】
そして、コンピュータ１１０は、図１３に示す印字結果入力画面を表示装置１２０に表示させる。  
そして、ユーザーは、印字結果入力画面の入力部２５１、入力部２５２、及び、入力部２５３に、テストパターンの番号を入力した後、印字結果入力決定ボタン２６０上にカーソルを移動させ、マウス１３０Ｂをクリックする。すると、コンピュータ１１０は、入力部２５１、入力部２５２、及び、入力部２５３に入力されたテストパターンの番号のうち、最も大きい番号のテストパターンを最適なテストパターンとして選択する。そして、コンピュータ１１０は、印刷方式を、最適なテストパターンとして選択されたテストパターンに対応する印刷方式に設定する。
【０１２０】
このようにして、コンピュータ１１０は、該ＣＤ−Ｒの最適な印刷方式を設定することが可能となる。この場合、印刷方式Ｍ６に対応するＣＤ−Ｒには、印刷方式Ｍ６に基づいて印刷データが生成され、印刷方式Ｍ１に対応するＣＤ−Ｒには、印刷方式Ｍ１に基づいて印刷データが生成さるので、最適な印刷品質を得ることが可能となる。
【０１２１】
以上より、ＣＤ−Ｒに印刷されたテストパターンを基に、ＣＤ−Ｒの最適な印刷方式を決定することができるから、対応情報がメモリＭに記憶されていないＣＤ−Ｒの最適な印刷方式を設定することが可能となる。
【０１２２】
＝＝＝その他の実施形態＝＝＝
以上、上記実施の形態に基づき本発明に係る印刷制御システム等を説明したが、上記した発明の実施の形態は、本発明の理解を容易にするためのものであり、本発明を限定するものではない。本発明は、その趣旨を逸脱することなく、変更、改良され得ると共に、本発明にはその等価物が含まれることはもちろんである。
【０１２３】
上記の実施形態において、印刷装置としてインクジェットプリンタを用いたが、媒体に印刷処理できる印刷装置であれば、これに限定されることなく、例えば、モノクロプリンタ、レーザープリンタ、ファクシミリ等に適用しても良い。
【０１２４】
また、上記の実施形態において、媒体に印刷された複数のパターンに関する２種類以上の情報の例は、複数のパターンからのインクの滲み、複数のパターンを、ユーザーが指で押したときの、複数のパターン上の指紋の有無、及び、複数のパターン上を、ローラーが転がったときの、複数のパターン上のローラー痕の有無であった。しかしながら、媒体に印刷された複数のパターンに関する２種類以上の情報は、上記のものに限るものではない。例えば、複数のパターン上に検査用部材を載せ、さらに検査用部材の上に分銅等のおもりを所定時間載せた後に、検査用部材を持ち上げた際に、ＣＤ−Ｒがくっついて持ち上げられるかどうかであってもよい。プリンタドライバ１１６は、このような情報を得ることによって、インクが十分に乾いているかどうかを知ることができる。
【０１２５】
さらに、上記の実施形態において、印刷方式に応じて、ＣＤ−Ｒに印刷する際に用いられるインク量が異なることとしたが、これに限定されるものではない。  
例えば、印刷方式に応じて、ＣＤ−Ｒに印刷する際の印刷速度が異なることとしてもよい。  
ただし、ＣＤ−Ｒ毎に、印刷面であるレーベル面のインクの吸収性が異なることが多いため、最適なインク量も異なる場合が多い。そのため、印刷方式に応じて、ＣＤ−Ｒに印刷する際に用いられるインク量が異なる場合には、ＣＤ−Ｒにとって最適なインク量の印刷方式を設定することが可能となる。  
従って、上記の実施形態の方がより望ましい。
【０１２６】
さらに、上記の実施形態において、ＣＤ−Ｒにテストパターンの印刷を実行するか否かをユーザーに選択させるためのテストパターン印刷実行画面（例えば、図１２Ａや図１２Ｂ）を表示する表示部（例えば、表示装置１２０）を備えていることとしたが、これに限定されるものではない。  
例えば、表示装置１２０は、ＣＤ−Ｒにテストパターンの印刷を実行するか否かをユーザーに選択させるための画面を表示しないこととしてもよい。  
ただし、コンピュータ１１０が、テストパターン印刷実行画面（例えば、図１２Ａや図１２Ｂ）表示する表示装置１２０を備えている場合には、ユーザーにＣＤ−Ｒへのテストパターンの印刷の実行を簡単に選択させることができる。  
従って、上記の実施形態の方がより望ましい。
【０１２７】
さらに、上記の実施形態において、表示装置１２０は、テストパターンが印刷されたＣＤ−Ｒの種類に関する情報を、ユーザーに入力させるための媒体情報入力画面（例えば、図１７に示す画面）を表示することとしたが、これに限定されるものではない。  
例えば、表示装置１２０は、媒体情報入力画面を表示しないこととしてもよい。  
ただし、表示装置１２０が、媒体情報入力画面（例えば、図１７に示す画面）を表示する場合には、テストパターンが印刷されたＣＤ−Ｒの種類と、印刷されたテストパターンの中で最適なテストパターンと、の対応関係を関連付けることが可能となる。  
従って、上記の実施形態の方がより望ましい。
【０１２８】
さらに、上記の実施形態において、記憶媒体は、ＣＤ−ＲＯＭ（例えば、ＣＤ−Ｒ）であることとしたが、これに限定されるものではない。  
例えば、記憶媒体は、ＤＶＤ（Digital Versatile Disk）であることとしてもよい。
【０１２９】
さらに、上記の実施形態において、テストパターンは複数あり、テストパターンはＣＤ−Ｒのレーベル面に環状に印刷されることとしたが、これに限定されるものではない。  
例えば、テストパターンは、環状以外で、印刷されることとしてもよい。  
ただし、ＣＤ−Ｒの形状は円形であるから、テストパターンがＣＤ−Ｒのレーベル面に環状に印刷される場合には、印刷面を有効に活用することができる。  
従って、上記の実施形態の方がより望ましい。
【図面の簡単な説明】
【０１３０】
【図１】印刷システムの外観構成を示した説明図である。
【図２】プリンタドライバが行う基本的な処理の概略的な説明図である。
【図３】プリンタドライバのユーザーインターフェースの説明図である。
【図４】本実施形態のプリンタの全体構成のブロック図である。
【図５】本実施形態のプリンタの全体構成の概略図である。
【図６】本実施形態のプリンタの全体構成の横断面図である。
【図７】印刷時の処理のフロー図である。
【図８】ヘッド４１の下面におけるノズルの配列を示す説明図である。
【図９】図９Ａは、コンピュータ１１０に格納されているメモリＭに記憶されているテーブルであって、媒体が紙Ｓである場合の対応情報を含んだテーブルを示した図である。図９Ｂは、コンピュータ１１０に格納されているメモリＭに記憶されているテーブルであって、媒体がＣＤ−Ｒである場合の対応情報を含んだテーブルを示した図である。
【図１０】図１０Ａは、テストパターンが印刷されたＣＤ−Ｒ８３を示した図である。図１０Ｂは、テストパターンが印刷された紙Ｓを示した図である。
【図１１】テストパターンと印刷方式との対応関係を示す情報を含んでいるテーブルを示した図である。
【図１２】図１２Ａは、テストパターンの印刷実行を選択するための画面を示した図である。図１２Ｂは、テストパターンが印刷される媒体の形状を選択するための画面を示した図である。
【図１３】表示装置１２０に表示された印字結果入力画面について説明するための説明図である。
【図１４】インクの滲みの状態に関する情報について説明するための説明図である。
【図１５】図１５Ａは、ＣＤ−Ｒ８３のレーベル面に印刷された複数のテストパターンをユーザーが指で押して、インクのベタツキの状態を調べることを説明するための説明図である。図１５Ｂは、ＣＤ−Ｒ８３のレーベル面に印刷された複数のテストパターンをユーザーが指で押したときの複数のテストパターン上の指紋の有無を、ユーザーが、確認することを説明するための説明図である。
【図１６】図１６Ａは、複数のテストパターン上を、ローラーが転がったときの、複数のパターン上のローラー痕の有無について説明するための説明図である。図１６Ｂは、ローラー痕について説明するための説明図である。
【図１７】表示装置１２０に表示された媒体情報入力画面を示した図である。
【図１８】印刷制御装置の動作例を説明するためのフロー図である。
【図１９】対応情報が追加されたテーブルを示した図である。
【図２０】本実施形態のプリンタの全体構成の概略図である。
【符号の説明】
【０１３１】
１  プリンタ
２０  搬送ユニット                      ２１  給紙ローラ
２２  搬送モータ（ＰＦモータ）          ２３  搬送ローラ
２４  プラテン                          ２５  排紙ローラ
３０  キャリッジユニット                ３１  キャリッジ
３２  キャリッジモータ（ＣＲモータ）
４０  ヘッドユニット                    ４１  ヘッド
５０  検出器群                          ５１  リニア式エンコーダ
５２  ロータリー式エンコーダ            ５３  紙検出センサ
５４  光学センサ
６０  コントローラ                      ６１  インターフェース部
６２  ＣＰＵ                            ６３  メモリ
６４  ユニット制御回路
８３  ＣＤ−Ｒ
９３  ＣＤ−Ｒ搬送用トレイ              ９５  ローラ
１００  印刷システム                    １１０  コンピュータ
１１２  ビデオドライバ                  １１４  アプリケーションプログラム
１１６  プリンタドライバ
１２０  表示装置                        １３０  入力装置
１３０Ａ  キーボード                    １３０Ｂ  マウス
１４０  記録再生装置
１４０Ａ  フレキシブルディスクドライブ装置
１４０Ｂ  ＣＤ−ＲＯＭドライブ装置
２２０  形状選択部                      ２２１  プリダウンボタン
２３０  印刷実行ボタン                  ２５１  入力部
２５２  入力部                          ２５３  入力部
２６０  印字結果入力決定ボタン          ３１０  メーカー名入力部
３２０  容量入力部                      ３３０  色入力部
３４０  型番入力部                      ３５０  登録ボタン
【図１】
2005224995.tif 000003
【図２】
2005224995.tif 000004
【図３】
2005224995.tif 000005
【図４】
2005224995.tif 000006
【図５】
2005224995.tif 000007
【図６】
2005224995.tif 000008
【図７】
2005224995.tif 000009
【図８】
2005224995.tif 000010
【図９】
2005224995.tif 000011
【図１１】
2005224995.tif 000012
【図１２】
2005224995.tif 000013
【図１３】
2005224995.tif 000014
【図１７】
2005224995.tif 000015
【図１８】
2005224995.tif 000016
【図１９】
2005224995.tif 000017
【図２０】
2005224995.tif 000018
【図１０】
2005224995.tif 000019
【図１４】
2005224995.tif 000020
【図１５】
2005224995.tif 000021
【図１６】
2005224995.tif 000022